(57)【要約】【課題】  容器とそれに所望品を収容した包装品を提供する。【解決手段】  本体部と柄を備えた形状とし、柄に豆などの所望品を収容可能な柄収容部を設けた。本体部内に所望品を収容可能な収容部を設けてもよい。柄収容部は二以上の小室に分離したものであってもよい。柄は夫々の小室ごとに分離できるようにしてもよい。柄の下端側には、袋入りの豆、御守り、飾り用の房などの付属品を設けてもよい。付属品は、一本の柄に二以上設けることもできる。前記いずれかの小槌形容器の柄収容部又は／及び本体収容部内に、所望品を収容して包装品とした。【選択図】図１
2014012533.tif 000002
【特許請求の範囲】
【請求項１】
本体部と柄とを備えた容器であって、柄に豆、米、ピーナツ、落花生、御守り、おみくじ、占い文等の所望品を収容可能な柄収容部が設けられたことを特徴とする容器。
【請求項２】
請求項１記載の容器において、本体部内に所望品を収容可能な本体収容部が設けられたことを特徴とする容器。
【請求項３】
請求項２記載の容器において、本体部に本体開口部が設けられ、本体部に当該本体開口部を閉塞可能な本体蓋が設けられたことを特徴とする容器。
【請求項４】
請求項１乃至請求項３のいずれか１項に記載の容器において、柄収容部が二以上の小室を備えたことを特徴とする容器。
【請求項５】
請求項１乃至請求項４のいずれか１項に記載の容器において、柄の下端側に袋入りの豆、御守り、飾り用の房などの付属品が設けられたことを特徴とする容器。
【請求項６】
請求項１乃至請求項５のいずれか１項に記載の容器の柄収容部又は／及び本体収容部内に、所望品が収容されたことを特徴とする包装品。
【発明の詳細な説明】
【技術分野】
【０００１】
本発明は、豆、米、ピーナツ、落花生といった小さな物やお守り、おみくじ、占い文等の所望の品（所望品）を収容可能な容器と、その容器にそれら所望品が収容された包装品に関する。
【背景技術】
【０００２】
豆、米、ピーナツ、落花生といった小さな物やお守り、おみくじ、占い文等の所望品は、小槌形をした容器とか、その他の形状の容器に入れて販売されている（特許文献１〜３）。
【先行技術文献】
【特許文献】
【０００３】
【特許文献１】特開平１０−２７６８９５号公報
【特許文献２】実用新案登録第３０９７２３７号公報
【特許文献３】実用新案登録第３０２３６０８号公報
【発明の概要】
【発明が解決しようとする課題】
【０００４】
特許文献１、２、３の容器は、形状に特徴はあるが、容器内に物品を収容することにおいて従来品と変わりがないため目新しさに欠けるきらいがある。
【０００５】
本願発明は、形状、特に柄の部分に特徴を持たせることにより、これまでの商品とは見た目が異なる容器と、それに所望品を収容した包装品（容器入り物品）を提供することにある。
【課題を解決するための手段】
【０００６】
本願発明の容器は、収容部本体と持ち手部（柄）とを備えた容器であって、柄に豆、米、ピーナツ、落花生、御守り、おみくじ、占い文等の所望品（収容部本体と柄に収容可能な大きさの小物）を収容可能な柄収容部が設けられたものである。
【０００７】
前記容器を細長或いは小槌形にし、その長手方向両端に本体蓋を開閉可能に設けることができる。本体蓋は柄を持って本体収容部を振ると自動的に開くようにしても、手作業で開閉できるようにしてもよい。
【０００８】
前記柄の内部（柄収容部）を二以上の小室に分離（区画）したものであってもよい。この場合、一本の柄の内部（収容部）を二以上の小室に仕切ることも、収容空間を備えた複数の小型容器を二以上連結して一本の柄とすることもできる。柄は夫々の小室或いは小型容器ごとに分離できるようにしてもよい。いずれの場合も、小室や小型容器には開閉式の扉を設けることができる。
【０００９】
前記柄の下端側には、袋入りの豆、御守り、飾り用の房などの付属品（柄収容部や本体収容部に収容できない大きさの所望品）を設けることもできる。付属品は、一本の柄に二以上取付けることもできる。取付けるのは同じものでも、異なるものでもよい。
【００１０】
本発明の容器入り物品は、前記容器の柄収容部又は／及び本体収容部内に、所望品が収容されたものである。柄が小室に分離されたものである場合は小室ごとに異なる所望品を入れることも同じ所望品を入れることもできる。
【発明の効果】
【００１１】
本発明の容器は次のような効果がある。
（１）柄に柄収容部を設けてその内部に所望品を収容可能としたので、用途に応じて収容物を入れ替えることができる。
（２）本体収容部を小槌形とか、他の形状とすれば、全体がユニークで目新しい形状の容器になり、消費者の関心を引き易く、購買意欲の増進に繋がる。
（３）小槌は縁起物としてのイメージがあるため、祝儀の場での使用に適する。
【００１２】
本発明の包装品は次のような効果がある。
（１）本体収容部や柄収容部内に豆、落花生、菓子等の物品が収容されているので、それら物品を取り出して使用したり、食したりすることができる。
（２）本体収容部と柄収容部の双方に商品を収容できるので、一つの容器に多種類の物品を収容することができ、それら収容部内から物品を取り出す楽しみがある。
（３）容器が小槌形の場合は、柄を持って本体収容部を振れば、本体収容部内から物品が飛び出すので、打ち出の小槌のようなイメージがあり、物品を取り出す楽しみが増す。
【図面の簡単な説明】
【００１３】
【図１】本発明の容器と包装品の一例を示すものであって、（ａ）は柄に柄収容部を設けた場合の一例を示す正面図、（ｂ）は（ａ）のＡ−Ａ断面図、（ｃ）はねじ式の柄蓋を用いる場合の一例を示す正面図。
【図２】本発明の形容器と包装品の他例を示すものであって、（ａ）は柄の下端側に付属品を取付けた場合の一例を示す正面図、（ｂ）は柄の下端側に取り付け可能な御守りの一例を示す正面図、（ｃ）は柄の下端側に取り付け可能な房の一例を示す正面図。
【図３】本発明の容器と包装品の他例を示すものであって、（ａ）は小室を備えた小箱部材を連結して柄とした場合の一例を示す正面図、（ｂ）は（ａ）のＢ−Ｂ断面図、（ｃ）は小箱部材（柄）を分離する場合の一例を示す正面図、（ｄ）は小室扉の一例を示す説明図。
【図４】本発明の容器と包装品の他例を示すものであって、（ａ）は柄と本体部の双方に収容部を設けた場合の一例を示す正面図、（ｂ）は（ａ）のＣ−Ｃ断面図、（ｃ）はヒンジを介して本体部に取り付けられた本体蓋の説明図。
【図５】本発明の容器と包装品の他例を示すものであって、（ａ）は本体蓋をねじ式とした場合の一例を示す正面図、（ｂ）は本体蓋に網材を用いた場合の一例を示す正面図。
【図６】本発明の容器と包装品の他例を示すものであって、（ａ）は本体蓋を固定蓋と回転蓋との組合せ式とした場合の一例を示す分解図、（ｂ）は固定蓋の固定蓋開口部と回転蓋の回転蓋開口部の位置が不一致の状態を示す説明図、（ｃ）固定蓋の固定蓋開口部と回転蓋の回転蓋開口部の位置が一致した状態を示す説明図。
【図７】本発明の容器と包装品の他例を示すものであって、（ａ）は本体収容部を二分割した場合の一例を示す説明図、（ｂ）は本体収容部を三分割した場合の一例を示す説明図、（ｃ）は本体収容部を四分割した場合の一例を示す説明図、（ｄ）は本体収容部を五分割した場合の一例を示す説明図。
【図８】本発明の容器と包装品の他例を示すものであって、（ａ）は容器を、互いに嵌合可能な二つの半容器部材を組み合わせたものとした場合の一例を示す説明図、（ｂ）は（ａ）の上端側に軸材を、下端側に固定手段を設けた場合の一例を示す説明図。
【発明を実施するための形態】
【００１４】
（容器の実施形態１）
本発明の形容器１の一例を図１（ａ）（ｂ）に基づいて説明する。これら図に示す容器１は、頭部（本体部）２と持ち手部（柄）３とを備えた小槌形状の容器であって、柄３の収容部（柄収容部４）内に、豆、米、ピーナツ、御守り、おみくじ、占い文等の所望品Ｇを収容可能なものである。ここで、所望品Ｇとは、本体部２の収容部（本体収容部：詳しくは後述する）５や柄収容部４に収容可能な大きさの物であればよく、お菓子（飴、チョコ、ラムネなど）等のほか、七福神、亀、鶴、フクロウ、だるま、招き猫、白蛇といった一般におめでたいイメージを持たれているものを模した小物や、五穀豊穣を祈念する米、麦、豆、あわ、ひえを模した小物、結婚や結納の祝いものである昆布、エビ、鯛、するめ烏賊、かつお節等を模した小物等（いずれも本体収容部５や柄収容部４に収容可能な大きさにしたもの）であってもよい。
【００１５】
図１（ａ）（ｂ）の容器１の柄３は細長の棒状であり、上端側には本体部２が柄３に対して垂直に又は略垂直に設けられ、下端側には前記所望品Ｇを収容可能な柄収容部４が設けられている。柄収容部４には、その正面側に設けられた開口部６を開閉可能な扉（柄扉７）がヒンジを介して設けられている。所望品Ｇはこれ以外の方法で出し入れできるようにしてもよい。例えば、図１（ｃ）に示すように、柄収容部４の下端側に所望品Ｇを出し入れするための開口部６を設けておき、その開口部６をねじ式の蓋（柄蓋８）で開閉できるようにしてもよい。
【００１６】
本発明の容器１は各種材質製とすることができるが、加工の容易さや量販性の観点から樹脂製が適する。容器１は部材ごとに異なる材質製とすることもできる。例えば、本体部２を樹脂製とし、本体蓋１５を網材と樹脂材を組み合わせたもの等とすることができる。
【００１７】
容器１は、本体部２と柄３を一体物とすることも別体とすることもできる。別体とする場合、柄３の上端部側に横向きに貫通孔を設け、その貫通孔に横長筒状の本体を差し込んで小槌形とすることができる。この場合、貫通孔は本体部２を差し込み可能であり、かつ、差し込み後に不用意に抜け落ちない程度の径とするのが望ましい。柄３の材質を伸縮性のあるものにし、貫通孔を本体部２の外径よりも小さ目の径にして、その貫通孔に本体部２を圧入して本体部２が不用意に抜け落ちないようにすることもできる。容器１は透明なものであっても、不透明なものであってもよい。
【００１８】
本発明の容器１には、図２（ａ）に示す小袋入りの福豆や図２（ｂ）に示す御守り、図２（ｃ）に示す飾り用の房等の付属品９を取付けることもできる。付属品９にはおみくじ、占い文等を使用することもできる。おみくじは大吉、中吉、吉などが記載された既存のものでよく、御守りは無病息災、家内安全、心願成就、縁結びといった各種のものを用いることができる。占い文は星座占い、血液型占い、姓名の字画数占いといった各種占い文を用いることができる。付属品９は一つだけ連結することも、二以上連結することもできる。いずれの場合も付属品９の連結には紐、チェーン、リングといった既存の連結具１０を用いることができる。付属品９は根付け、各種形状のストラップ等でもよい。付属品９は柄収容部４や本体収容部５に収容できない大きさの各種所望品Ｇとすることができる。
【００１９】
（容器の実施形態２）
本発明の容器１の他例を図３（ａ）〜（ｄ）に基づいて説明する。これら図に示す容器１の基本的構成は前記実施形態１の場合と同じである。異なるのは、柄３を二以上の小室１１に分離したことである。図示した例では、小室１１を備えた複数の小箱部材１２を連結して一本の柄３としているが、一本の柄３の内部（柄収容部４）を仕切り部材（図示しない）で二以上の小室１１に仕切ることもできる。柄３は、図３（ｃ）に示すように、夫々の小室１１ごとに分離できるようにしてもよい。仕切り部分には分離を容易にするための窪みや分離線（例えば、ミシン目のような切取線等）を入れておくこともできる。前記いずれの場合も、夫々の小室１１には、図３（ｄ）に示すような開閉式の小室扉１３を設けることができる。
【００２０】
（容器の実施形態３）
本発明の容器１の他例を図４〜図７に基づいて説明する。これら図に示す容器１の基本的構成は前記実施形態１の場合と同じである。異なるのは、柄３に加えて、本体部２内にも所望品Ｇを収容可能な収容部（本体収容部５）を設けたことである。図４（ａ）〜（ｃ）に示す例では、本体部２の長手方向両端に開口部（本体開口部１４）が設けられており、図４（ｃ）に示すように、本体部２にヒンジを介して取り付けられた蓋（本体蓋１５）で開閉できるようにしてある。本体蓋１５には突片１６が設けてあり、本体蓋１５で本体部２を閉じると、本体蓋１５の突片１６が本体部２の内側に圧入されて本体蓋１５が不用意に開かなくなるようにしてある。本体蓋１５は、柄３を持って容器１を振ることによって開くようにすることもできる。
【００２１】
図４（ａ）〜（ｃ）に示す本体蓋１５は一例であり、これ以外の構造とすることもできる。例えば、図５（ａ）に示すようなねじ式としたり、図５（ｂ）のように、扇形の網材を、間隔をあけて配置したようなものとしたり、図６（ａ）に示すような固定蓋１７と回転蓋１８との組合せ式としたりすることができる。本体蓋１５に網材を用いる場合、全面を網材とすることもできる。固定蓋１７と回転蓋１８の組合せ式とする場合、扇形の固定蓋開口部１９を備えた固定蓋１７を本体部２の本体開口部１４側に固定し、その外側に扇形の回転蓋開口部２０を備えた回転蓋１８を被せて、固定蓋１７に対して回転自在となるように本体部２の本体開口部１４側に取り付ける。図６（ｂ）のように、固定蓋開口部１９と回転蓋開口部２０の位置が一致しないときは、本体開口部１４は閉塞した状態となり、図６（ｃ）のように、固定蓋開口部１９と回転蓋開口部２０の位置が一致したときは、本体開口部１４の一部が開いた状態となって、所望品Ｇを出し入れすることができる。
【００２２】
本体収容部５は、図７（ａ）〜（ｄ）に示すように、複数に分割することもできる。図７（ａ）は本体収容部５を二分割した場合、図７（ｂ）は本体収容部５を三分割した場合、図７（ｃ）は本体収容部５を四分割した場合、図７（ｄ）は本体収容部５を五分割した場合の例である。本体収容部５を分割する場合、すべての部屋に所望品Ｇを入れることも、任意の部屋だけに所望品Ｇを入れることもできる。
【００２３】
（容器のその他の実施形態）
本発明の容器１は、図８（ａ）に示すように、半割状の半容器部材２２、２３とから構成することもできる。この場合、半容器部材２２、２３の夫々の開口縁に相互に嵌合可能な嵌合部２２ａ、２３ａを設けておくことができる。両半容器部材２２、２３の開口部を対向させ、両半容器部材２２、２３の嵌合部２２ａ、２３ａを嵌合させることで、一体の容器１とすることができる。容器１を半割状の半容器部材２２、２３で構成する場合、図８（ｂ）に示すように、両半容器部材２２、２３の上端側を一本の軸材（回転軸）２４で接合し、容器１を開閉できるようにして、両半容器部材２２、２３の下端側に設けた固定手段２５によって、両半容器部材２２、２３を固定できるようにしてもよい。固定手段２５には、例えば、相互に嵌合可能な凹凸や、がまぐち財布の止め具として使用される口金などを用いることができる。
【００２４】
（包装品：容器入り物品の実施形態１）
本発明の包装品２１の一例を図１（ａ）〜（ｃ）に基づいて説明する。この実施形態の包装品２１は、前記（小槌形容器の実施形態１）で詳述した小槌形の容器１の柄収容部４に、巻物状の紙製おみくじ（所望品Ｇ）を収容した場合の例である。柄収容部４には前述した各種所望品Ｇを収容することができる。所望品Ｇは二以上収容することもできる。
【００２５】
（包装品の実施形態２）
本発明の包装品２１の他例を図４（ａ）〜（ｃ）に基づいて説明する。この実施形態の包装品２１は、前記（容器の実施形態３）で詳述した小槌形の容器１の柄収容部４と本体収容部５に、所望品Ｇを収容した場合の例である。柄収容部４には巻物状の紙製おみくじ（所望品Ｇ）を、本体収容部５には福豆（豆撒き用の大豆）を収容してある。柄収容部４と本体収容部５には、前述した各種所望品Ｇを収容することができる。所望品Ｇは二以上収容することもできる。
【００２６】
（包装品の実施形態３）
本発明の包装品２１の他例を図７（ａ）〜（ｄ）に基づいて説明する。この実施形態の包装品２１は、前記（容器の実施形態３）で詳述した小槌形の容器１の柄収容部４と本体収容部５に、所望品Ｇを収容した場合の例である。本体収容部５を二分割した図７（ａ）の例では、一方の部屋に赤鬼のシールを貼った落花生（所望品Ｇ）を、他方の部屋に青鬼のシールを貼った落花生を収容してある。シールはこれ以外であってもよく、例えば、「鬼」と書かれたシールや「福」と書かれたシール、赤色や白色などの色付きシールでもよい。シールは本体部２に直接貼ることもできる。本体収容部５を三分割した図７（ｂ）の例では、図中左側の部屋に福豆を、中央の部屋にバターピーナッツを、右側の部屋に薄皮付きのピーナッツを収容してある。本体収容部５を十字状に四分割した図７（ｃ）の例では、上方の二つの部屋に落花生を、下方の二つの部屋に福豆を収容してある。本体収容部５を五分割した図７（ｄ）の例では、結婚や結納の祝いものである昆布、エビ、鯛、するめ烏賊、かつお節を別々の部屋に分けて収容してある。昆布、エビ、鯛、するめ烏賊、かつお節等の代わりに、五穀豊穣を祈念する米、麦、豆、あわ、ひえを模した小物を収容することもできる。
【産業上の利用可能性】
【００２７】
本発明の包装品は、通常の商品と同様に販売することができるのみならず、豆撒き行事や、神社、仏閣の御守り売り場や占い所などに展示して販売することもできる。この場合、包装品を袋、箱、容器等に多数個収容して販売することも、所望数ずつ販売することもできる。包装品は贈答用の箱内に他の贈答品と一緒に入れることもでき、例えば、お歳暮用の酒類やタオルセット等と同じ箱に収容することができる。本発明の包装品は縁起物である小槌形状にすれば、結婚祝いや出産祝いなど縁起の良い祝儀の場で使用するのに適する。
【符号の説明】
【００２８】
１    容器
２    頭部（本体部）
３    持ち手部（柄）
４    柄収容部
５    本体収容部
６    （柄収容部の）開口部
７    柄扉
８    柄蓋
９    付属品
１０  連結具
１１  小室
１２  小箱部材
１３  小室扉
１４  本体開口部
１５  本体蓋
１６  突片
１７  固定蓋
１８  回転蓋
１９  固定蓋開口部
２０  回転蓋開口部
２１  包装品
２２、２３  半容器部材
２４  軸材（回転軸）
２５  固定手段
Ｇ    所望品
【図１】
2014012533.tif 000003
【図２】
2014012533.tif 000004
【図３】
2014012533.tif 000005
【図４】
2014012533.tif 000006
【図５】
2014012533.tif 000007
【図６】
2014012533.tif 000008
【図７】
2014012533.tif 000009
【図８】
2014012533.tif 000010